(57)【要約】【課題】薄型化を図ることが可能なプロジェクターを提供する。【解決手段】光源１０と、光源１０から射出された光を画像情報に応じて変調する光変調系２００と、光変調系２００から射出された光を画像として投写する投写光学系５０と、光変調系２００を収容する収容部２１０と該収容部２１０を挟む一対の側壁６３、側壁６４とを備えたフレーム６０と、を含み、フレーム６０の厚さ方向および光変調系２００の厚さ方向各々を、一対の側壁６３、側壁６４が互いに対向する方向と光変調系２００の光軸方向とに直交する方向とし、フレーム６０のうち最も厚い部分の厚さをＨ１ｍａｘとし、光変調系２００のうち最も厚い部分の厚さをＨ２ｍａｘとしたとき、該Ｈ１ｍａｘと該Ｈ２ｍａｘが、Ｈ１ｍａｘ≦Ｈ２ｍａｘの関係を満たす。【選択図】図１
2013235154.tif 000002
【特許請求の範囲】
【請求項１】
光源と、
前記光源から射出された光を画像情報に応じて変調する光変調系と、
前記光変調系から射出された光を画像として投写する投写光学系と、
前記光変調系を収容する収容部と該収容部を挟む一対の側壁とを備えたフレームと、を含み、
前記フレームの厚さ方向および前記光変調系の厚さ方向各々を、前記一対の側壁が互いに対向する方向と前記光変調系の光軸方向とに直交する方向とし、前記フレームのうち最も厚い部分の厚さをＨ１ｍａｘとし、前記光変調系のうち最も厚い部分の厚さをＨ２ｍａｘとしたとき、該Ｈ１ｍａｘと該Ｈ２ｍａｘが、Ｈ１ｍａｘ≦Ｈ２ｍａｘの関係を満たすプロジェクター。
【請求項２】
前記フレームの厚さ方向を前記フレームの上下方向としたとき、前記収容部の上方と下方のうち少なくとも一方が開放されている請求項１に記載のプロジェクター。
【請求項３】
光源と、
前記光源から射出された光を画像情報に応じて変調する光変調系と、
前記光変調系から射出された光を画像として投写する投写光学系と、
前記光変調系を収容する収容部と該収容部を挟む一対の側壁とを備えたフレームと、を含み、
前記フレームの上下方向を、前記一対の側壁が互いに対向する方向と前記光変調系の光軸方向とに直交する方向としたとき、前記収容部の上方と下方のうち少なくとも一方が開放されているプロジェクター。
【請求項４】
前記収容部の上方と下方のうち少なくとも一方に、前記フレームの肉厚よりも薄いシート部材が設けられている請求項２または３に記載のプロジェクター。
【請求項５】
前記光変調系は、複数の画素からなる表示領域を有する光変調素子を含み、
前記一対の側壁の間には、前記一対の側壁を接続する接続部材が設けられており、
前記接続部材は、前記光変調素子の前記表示領域に対応する開口部を有する請求項１ないし４のいずれか一項に記載のプロジェクター。
【請求項６】
前記光変調系が含む一の光学部材が前記接続部材に固定されている請求項５に記載のプロジェクター。
【請求項７】
前記光変調系が含む一の光学部材が偏光板であり、
前記偏光板は、前記接続部材の一面の側に固定されており、
前記光変調素子は、前記接続部材の前記一面とは反対側に固定されている請求項６に記載のプロジェクター。
【発明の詳細な説明】
【技術分野】
【０００１】
本発明は、プロジェクターに関するものである。
【背景技術】
【０００２】
プロジェクターは、光源から射出される光を、光変調素子で画像情報に応じて変調し、得られた画像を投写光学系によって拡大投写するものである。近年、このようなプロジェクターとして、携帯電話やデジタルカメラ等の携帯機器への搭載を狙った非常に小さいプロジェクター（いわゆる、ピコプロジェクター）が開発されている。
【０００３】
このような小型サイズのプロジェクターとしては、例えば、光源ユニット、照明光学系、表示パネル、及び投写光学系が保持筐体に保持されたものが知られている（例えば、特許文献１参照）。
【先行技術文献】
【特許文献】
【０００４】
【特許文献１】特開２０１０−２８１９７３号公報
【発明の概要】
【発明が解決しようとする課題】
【０００５】
特許文献１のプロジェクターでは、光源ユニットが保持筐体の光源保持部に対して接着剤により固定されている。ねじ部材を用いることなく、光源ユニットを保持筐体に取り付けることにより、プロジェクターの小型化を図っている。
【０００６】
一方、限られた大きさの機器の内部にプロジェクターを搭載するために、プロジェクターのさらなる小型化、特に薄型化が要求されている。
【０００７】
本発明はこのような事情に鑑みてなされたものであって、薄型化を図ることが可能なプロジェクターを提供することを目的とする。
【課題を解決するための手段】
【０００８】
上記の課題を解決するため、本発明のプロジェクターは、光源と、前記光源から射出された光を画像情報に応じて変調する光変調系と、前記光変調系から射出された光を画像として投写する投写光学系と、前記光変調系を収容する収容部と該収容部を挟む一対の側壁とを備えたフレームと、を含み、前記フレームの厚さ方向および前記光変調系の厚さ方向各々を、前記一対の側壁が互いに対向する方向と前記光変調系の光軸方向とに直交する方向とし、前記フレームのうち最も厚い部分の厚さをＨ１ｍａｘとし、前記光変調系のうち最も厚い部分の厚さをＨ２ｍａｘとしたとき、該Ｈ１ｍａｘと該Ｈ２ｍａｘが、Ｈ１ｍａｘ≦Ｈ２ｍａｘの関係を満たすことを特徴とする。
【０００９】
この構成によれば、光変調系のうち最も厚い部分の上方または下方がフレームの外部に開放される。そのため、光変調系がフレームの外部に開放されていない場合と比較して、少なくともフレームの肉厚分だけプロジェクターの薄型化を図ることができる。
【００１０】
前記プロジェクターにおいて、前記フレームの厚さ方向を前記フレームの上下方向としたとき、前記収容部の上方と下方のうち少なくとも一方が開放されていることが望ましい。
【００１１】
この構成によれば、収容部の開口部を塞ぐ部材を設ける場合と比較して、収容部の開口部を塞ぐ部材の厚み分だけプロジェクターを薄くすることができる。
【００１２】
本発明のプロジェクターは、光源と、前記光源から射出された光を画像情報に応じて変調する光変調系と、前記光変調系から射出された光を画像として投写する投写光学系と、前記光変調系を収容する収容部と該収容部を挟む一対の側壁とを備えたフレームと、を含み、前記フレームの上下方向を、前記一対の側壁が互いに対向する方向と前記光変調系の光軸方向とに直交する方向としたとき、前記収容部の上方と下方のうち少なくとも一方が開放されていることを特徴とする。
【００１３】
この構成によれば、収容部の開口部を塞ぐ部材を設ける場合と比較して、収容部の開口部を塞ぐ部材の厚み分だけプロジェクターを薄くすることができる。よって、薄型化を図ることが可能なプロジェクターが提供される。
【００１４】
前記プロジェクターにおいて、前記収容部の上方と下方のうち少なくとも一方に、前記フレームの肉厚よりも薄いシート部材が設けられていてもよい。
【００１５】
この構成によれば、プロジェクターの厚さを薄くしつつフレームの内部に塵埃等の異物が入り込むことを抑制することができる。
【００１６】
前記プロジェクターにおいて、前記光変調系は、複数の画素からなる表示領域を有する光変調素子を含み、前記一対の側壁の間には、前記一対の側壁を接続する接続部材が設けられており、前記接続部材は、前記光変調素子の前記表示領域に対応する開口部を有していてもよい。
【００１７】
この構成によれば、接続部材によりフレームを補強することができる。また、光変調素子の表示領域の外側領域を遮光することができる。
【００１８】
前記プロジェクターにおいて、前記光変調系が含む一の光学部材が前記接続部材に固定されていてもよい。
【００１９】
この構成によれば、光学部材が側壁及び接続部材の双方に固定されるため、光学部材の保持が強固になる。
【００２０】
前記プロジェクターにおいて、前記光変調系が含む一の光学部材が偏光板であり、前記偏光板は、前記接続部材の一面の側に固定されており、前記光変調素子は、前記接続部材の前記一面とは反対側に固定されていてもよい。
【００２１】
この構成によれば、偏光板と光変調素子との間に隙間が形成される。そのため、偏光板に蓄積される熱が光変調素子に伝わることが抑制される。そのため、熱の影響により光変調素子の駆動状態が不安定になることを抑制できる。また、偏光板に付着した塵埃等の異物が投写画像に写り込むことが抑制される。そのため、投写画像にぼやけのない高品質な画像を表示することが可能となる。
【図面の簡単な説明】
【００２２】
【図１】本発明の第１実施形態に係るプロジェクターを示す平面図である。
【図２】本発明の第１実施形態に係るプロジェクターを示す側面図である。
【図３】本発明の第１実施形態に係るプロジェクターにおける接続部材の周辺部を示す模式図である。
【図４】本発明の第２実施形態に係るプロジェクターを示す平面図である。
【図５】本発明の第２実施形態に係るプロジェクターを示す側面図である。
【図６】本発明の第２実施形態に係るプロジェクターにおける接続部材の周辺部を示す模式図である。
【図７】本発明の第３実施形態に係るプロジェクターを示す平面図である。
【図８】本発明の第３実施形態に係るプロジェクターを示す側面図である。
【発明を実施するための形態】
【００２３】
以下、図面を参照して、本発明の実施の形態について説明する。かかる実施の形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等が異なっている。
【００２４】
（第１実施形態）
図１は、本発明の第１実施形態に係るプロジェクター１を示す平面図である。図２は、本発明の第１実施形態に係るプロジェクター１を示す側面図である。
【００２５】
本実施形態に係るプロジェクター１は、図１に示すように、光源１０と、光変調系２００と、投写光学系５０と、フレーム６０と、を備えている。光変調系２００は少なくとも一つの光学部材を含む。本実施形態では、光変調系２００は、ピックアップレンズユニット２０と、偏光変換素子３０と、光変調素子４０と、入射側偏光板４１と、射出側偏光板４２と、を含む。
【００２６】
光源１０は、ランバート発光タイプの発光ダイオードである。光源１０は、赤色光、緑色光及び青色光を含む白色光（光源光）を射出する。このような光源１０を用いることにより、プロジェクター１の小型化を図ることができる。
【００２７】
ピックアップレンズユニット２０は、第１レンズ２１と、第２レンズ２２と、を備えている。第１レンズ２１は、光源１０に近い側に位置する。第２レンズ２２は、光源１０から遠い側に位置する。なお、図１ではピックアップレンズユニット２０を２つのレンズで構成しているが、レンズの数は１つでもよいし、３つ以上でもよい。
【００２８】
第１レンズ２１は、光入射面が平面状、光射出面が球面状をなす平凸レンズである。第１レンズ２１は、光源１０からの光の拡がり角を抑える機能を有する。
【００２９】
第２レンズ２２は、光入射面が平面状、光射出面が非球面状をなす非球面レンズである。第２レンズ２２の光射出面をピックアップレンズユニット２０の照明光軸３０ａｘの方向から見た平面形状は、照明光軸３０ａｘを中心とした回転対称な形状である。第２レンズ２２を照明光軸３０ａｘと平行な平面で切断した断面形状は、非球面形状である。
【００３０】
第２レンズ２２となる非球面レンズとしては、具体的には、第２レンズ２２の光射出面のコーニック定数Ｋが−１≦Ｋ＜０のもの、すなわち放物面または横長の楕円面をなすもの等が挙げられる。
【００３１】
偏光変換素子３０は、ピックアップレンズユニット２０から入射する光を、偏光方向の揃った略１種類の直線偏光光として射出するものである。偏光変換素子３０は、例えば、入射光のうちＰ偏光を透過しＳ偏光を反射する偏光分離膜と、偏光分離膜で反射されたＳ偏光を偏光分離膜を透過したＰ偏光と同方向に反射する反射膜と、を備えている。
【００３２】
光変調素子４０は、偏光変換素子３０から入射する光を画像情報に応じて変調し、カラー画像を形成するものである。
【００３３】
光変調素子４０の偏光変換素子３０の側には入射側偏光板４１が配置されている。光変調素子４０の投写光学系５０の側には射出側偏光板４２が配置されている。これら入射側偏光板４１、光変調素子４０及び射出側偏光板４２によって、入射された各色光の光変調が行われる。
【００３４】
例えば、光変調素子４０は、一対の透明なガラス基板に液晶を密閉封入した透過型の液晶光変調素子である。光変調素子４０は、複数の画素からなる表示領域４０Ｓを有している。光変調素子４０は、ポリシリコンＴＦＴをスイッチング素子として、与えられた画像信号に応じて、入射側偏光板から射出された１種類の直線偏光の偏光方向を変調する。光変調素子４０は、フレキシブル配線等を有する。
【００３５】
光変調素子４０から射出された光は、投写光学系５０によって画像としてスクリーンＳＣＲ上に拡大投写され、スクリーンＳＣＲ上でフルカラー画像が形成される。
【００３６】
フレーム６０は、光変調系２００を収容する収容部２１０を備えている。本実施形態においては、収容部２１０はフレーム６０を上下方向に貫通している。また、フレーム６０は投写光学系５０を保持する。以下、フレーム６０において、スクリーンＳＣＲの側の部分を先端部６１と称する。スクリーンＳＣＲの側とは反対側の部分を基端部６２と称する。投写光学系５０において、スクリーンＳＣＲ側の部分を先端部５１と称する。
【００３７】
フレーム６０の先端部６１は、照明光軸３０ａｘに平行な方向から見て枠状に形成されている。フレーム６０の先端部６１には、投写光学系５０の先端部５１が挿通されている。
【００３８】
フレーム６０の基端部６２には、光源１０が取り付けられている。例えば、光源１０の基台の凸部がフレーム６０の基端部６２の凹部に嵌め込まれて固定されている。
【００３９】
フレーム６０は、収容部２１０を挟む一対の側壁６３，側壁６４を備えている。一対の側壁６３，側壁６４は、光変調系２００と投写光学系５０とを側方から挟み込んで保持する。フレーム６０の厚さ方向および光変調系２００の厚さ方向各々を、一対の側壁６３と側壁６４とが互いに対向する方向と光変調素子４０に入射する光の光軸方向とに直交する方向とする。また、フレーム６０の厚さ方向をフレーム６０の上下方向と呼ぶこともある。本実施形態において、光変調素子４０に入射する光の光軸は光変調系の光軸、すなわち照明光軸３０ａｘと一致する。図１は、プロジェクター１を上下方向から見た平面図である。
【００４０】
ここで、図２に示すように、フレーム６０の厚さをＨ１とし、光変調系２００の厚さをＨ２とする。また、フレーム６０の最も厚い部分（本実施形態ではフレーム６０の先端部６１）の厚さをＨ１ｍａｘとし、光変調系２００の最も厚い部分（本実施形態では光変調素子４０）の厚さをＨ２ｍａｘとする。
【００４１】
ここで、Ｈ２ｍａｘとは、光変調系２００が含む複数の光学部材のうち、最も厚い光学部材の厚さである。光学部材の厚さＨ２は、当該光学部材において上端と下端の距離が最も大きい部分の距離として定義する。
【００４２】
例えば、光学部材としての光変調素子４０の厚さＨ２は、次のように定義する。液晶は２枚の基板の間に設けられている。例えば、液晶はＴＦＴアレイ基板と対向基板との間に設けられている。２枚の基板が組み立てられてなる光変調素子４０がフレーム６０の所定の位置に配置された状態において、２枚の基板の最も上端の位置と２枚の基板の最も下端の位置との間の距離を、光変調素子４０の厚さＨ２として定義する。光変調素子４０に設けられるフレキシブル配線等は、光変調素子４０の上端と下端との間の距離に含めない。
【００４３】
また、光学部材としての偏光変換素子３０の厚さＨ２は、偏光分離層、反射層、及び位相差板などを収容する収容部材がフレーム６０の所定の位置に配置された状態において、収容部材の上端と下端との間の距離とする。例えば、偏光変換素子３０が、上下方向に長手方向を有するガラス等の角柱の内部に偏光分離膜と反射膜が埋め込まれた構成を有するものである場合、偏光変換素子３０の厚さＨ２は、前記角柱の上端と下端との間の距離として定義される。投写光学系５０の厚さＨ１は、レンズを収容する筐体の上端と下端との間の距離とする。
【００４４】
本実施形態において、Ｈ１ｍａｘ（フレーム６０の先端部６１の厚さＨ１）とＨ２ｍａｘ（光変調素子４０の厚さＨ２）との関係は、下記の（１）式を満たす。
【００４５】
Ｈ１ｍａｘ≦Ｈ２ｍａｘ・・・（１）
【００４６】
（１）式を満たせば、プロジェクター１を照明光軸３０ａｘと平行な方向から見たとき、フレーム６０が光変調系２００よりも外側（上下方向）にはみ出さないようにプロジェクター１を構成することができる。
【００４７】
本実施形態において、フレーム６０の収容部２１０の上部は塞がれず、開放されている。つまり、フレーム６０には、光変調系２００及び投写光学系５０の上方を覆う部材が存在していない。光変調系２００及び投写光学系５０の上方は、フレーム６０の外部に開放されている。
【００４８】
また、本実施形態において、フレーム６０の収容部２１０の下部は塞がれず、開放されている。つまり、フレーム６０には、光変調系２００及び投写光学系５０の下方を覆う部材が存在していない。光変調系２００及び投写光学系５０の下方は、フレーム６０の外部に開放されている。
【００４９】
側壁６３には、溝６３ａ，溝６３ｂ，溝６３ｃ，溝６３ｄが形成されている。溝６３ａ，溝６３ｂ，溝６３ｃ，溝６３ｄは、それぞれフレーム６０の上下方向に沿って直線状に形成されている。
【００５０】
側壁６４には、溝６４ａ，溝６４ｂ，溝６４ｃ，溝６４ｄが形成されている。溝６４ａ，溝６４ｂ，溝６４ｃ，溝６４ｄは、それぞれフレーム６０の上下方向に沿って直線状に形成されている。溝６４ａ，溝６４ｂ，溝６４ｃ，溝６４ｄは、それぞれ溝６３ａ，溝６３ｂ，溝６３ｃ，溝６４ｄと対向して配置されている。
【００５１】
溝６３ａ，溝６４ａは、第１レンズ２１を嵌め込むための溝である。溝６３ｂ，溝６４ｂは、第２レンズ２２を嵌め込むための溝である。溝６３ｃ，溝６４ｃは、偏光変換素子３０を嵌め込むための溝である。溝６３ｄ，溝６４ｄは、光変調素子４０を嵌め込むための溝である。
【００５２】
各光学部材が各溝に嵌め込まれることにより、各光学部材の照明光軸３０ａｘに平行な方向の位置ずれ、照明光軸３０ａｘに交差する方向の位置ずれ、及び照明光軸３０ａｘの回りの位置ずれが規制される。
【００５３】
図２に示すように、側壁６３には、ガイド部６３ｅが形成されている。ガイド部６３ｅは、側壁６３の側面の法線方向から見て、Ｌ字状に形成されている。
【００５４】
側壁６４には、ガイド部６４ｅが形成されている。ガイド部６４ｅは、側壁６４の側面の法線方向から見て、Ｌ字状に形成されている。ガイド部６４ｅはガイド部６３ｅと対向して配置されている。
【００５５】
ガイド部６３ｅ，ガイド部６４ｅは、投写光学系５０の側方に形成された突起部５２を挿入する部分である。投写光学系５０の先端部５１がフレーム６０の先端部６１に挿通されるとともに、投写光学系５０の突起部５２がガイド部６３ｅ，ガイド部６４ｅに挿入されることにより、投写光学系５０が位置決めされる。具体的には、投写光学系５０の照明光軸３０ａｘに交差する方向の位置ずれ及び照明光軸３０ａｘの回りの位置ずれが規制される。なお、投写光学系５０は、ガイド部６３ｅ，ガイド部６４ｅに沿った範囲で、照明光軸３０ａｘに平行な方向に摺動可能である。
【００５６】
図１に戻り、側壁６４には、配線収容部６４ｆが形成されている。配線収容部６４ｆは、フレーム６０の上下方向と平行な方向から見て、Ｕ字状に形成されている。配線収容部６４ｆは、光変調素子４０に取り付けられたフレキシブル配線等を案内する部分である。
【００５７】
一対の側壁６３，側壁６４の間には、接続部材６５が設けられている。接続部材６５は、フレーム６０を補強するための部材である。
【００５８】
図３は、本発明の第１実施形態に係るプロジェクター１における接続部材６５の周辺部を示す模式図である。図３（ａ）は、接続部材６５の周辺部を照明光軸３０ａｘに平行な方向から見た図である。図３（ｂ）は、図３（ａ）のＡ−Ａ線に沿った断面図である。なお、図３においては、便宜上、偏光板４１，偏光板４２の図示を省略している。
【００５９】
図３（ａ）に示すように、接続部材６５は、照明光軸３０ａｘに平行な方向から見て、矩形枠状になっている。接続部材６５は、一対の側壁６３，側壁６４の間に設けられ、一対の側壁６３，側壁６４を接続する。接続部材６５は、光変調素子４０の表示領域４０Ｓに対応する大きさの開口部６５ａを有する。接続部材６５は、遮光性材料で形成されている。
【００６０】
図３（ｂ）に示すように、光変調素子４０が接続部材６５に固定されている。光変調素子４０の表示領域４０Ｓの外側領域が接続部材６５に当接している。
【００６１】
以上のように、本実施形態のプロジェクター１によれば、フレーム６０に保持される複数の光学部材のうち最も厚い光変調素子４０の上方及び下方がフレーム６０の外部に開放される。そのため、筒状のフレームを用いて光変調系２００の側方だけでなく上方及び下方も覆う場合と比較して、フレームの厚みの二倍分だけプロジェクター１の薄型化を図ることができる。
【００６２】
また、この構成によれば、接続部材６５によりフレーム６０を補強することができる。また、接続部材６５によって光変調素子４０の表示領域４０Ｓの外側領域を遮光することができる。接続部材６５が補強部材として機能するだけでなく見切り部材としても機能するため、別個に見切り部材を設ける必要がなくなり、プロジェクター１の小型化を図ることができる。
【００６３】
また、この構成によれば、光変調素子４０が側壁６３，側壁６４及び接続部材６５の双方に保持される。そのため、光変調素子４０を強固に保持することができる。
【００６４】
また、本実施形態においては、フレーム６０の収容部２１０の上部および下部は塞がれず、開放されているが、これに限らない。例えば、フレーム６０の収容部２１０の上部のみ開放されていてもよいし、フレーム６０の収容部２１０の下部のみ開放されていてもよい。フレーム６０の収容部２１０の上部および下部のうち少なくとも一方が開放されていればよい。
【００６５】
また、本実施形態においては、光変調素子４０が接続部材６５に固定されているが、これに限らない。例えば、光変調素子４０以外の光学部材が接続部材６５に固定されていてもよい。
【００６６】
（第２実施形態）
図４は、図１に対応した、本発明の第２実施形態に係るプロジェクター２を示す平面図である。図５は、図２に対応した、本発明の第２実施形態に係るプロジェクター２を示す側面図である。
【００６７】
図４及び図５に示すように、本実施形態に係るプロジェクター２は、フレーム６０の収容部２１０の上部にシート部材７０が設けられている点、射出側偏光板４２（偏光板）と光変調素子４０との間には隙間８０（図６（ｂ）参照）が形成されている点、で上述の第１実施形態に係るプロジェクター１と異なっている。その他の点は上述の構成と同様であるので、図１及び図２と同様の要素には同一の符号を付し、詳細な説明は省略する。
【００６８】
シート部材７０は、光変調系２００及び投写光学系５０の上方を覆っている。シート部材７０の肉厚は、フレーム６０の肉厚よりも薄い。シート部材７０は、セロファン、金属箔、樹脂膜などの薄膜を用いる。例えば、シート部材７０の肉厚は、５０μｍ〜２００μｍの範囲内の値に設定されている。
【００６９】
本実施形態においても、Ｈ１ｍａｘ（フレーム６０の先端部６１の厚さＨ１）とＨ２ｍａｘ（光変調素子４０の厚さＨ２）との関係は、上記の（１）式を満たしている。
【００７０】
図６は、図３に対応した、本発明の第２実施形態に係るプロジェクター２における接続部材６５の周辺部を示す模式図である。図６（ａ）は、接続部材６５の周辺部を照明光軸３０ａｘに平行な方向から見た図である。図６（ｂ）は、図６（ａ）のＢ−Ｂ線に沿った断面図である。
【００７１】
図６（ｂ）に示すように、射出側偏光板４２が接続部材６５の一面の側に固定されている。光変調素子４０が接続部材６５の一面とは反対側に固定されている。射出側偏光板４２と光変調素子４０との間には隙間８０が形成されている。
【００７２】
本実施形態のプロジェクター２によれば、プロジェクター２の厚さを薄く抑えつつフレーム６０の内部に塵埃等の異物が入り込むことを抑制することができる。
【００７３】
また、この構成によれば、射出側偏光板４２と光変調素子４０との間に隙間８０が形成されるため、射出側偏光板４２に蓄積される熱が光変調素子４０に伝わることが抑制される。そのため、熱の影響により光変調素子４０の駆動状態が不安定になることを抑制できる。また、射出側偏光板４２に付着した塵埃等の異物が投写画像に写り込むことが抑制される。そのため、投写画像にぼやけのない高品質な画像を表示することが可能となる。
【００７４】
なお、本実施形態においては、射出側偏光板４２と光変調素子４０との間に隙間８０が形成されているが、これに限らない。例えば、入射側偏光板４１と光変調素子４０との間に隙間が形成されていてもよい。この場合、光変調素子４０の光入射面の側に接続部材を設け、当該接続部材の光変調素子４０の側とは反対側に入射側偏光板４１を固定すればよい。これにより、入射側偏光板４１に蓄積される熱が光変調素子４０に伝わることが抑制される。また、入射側偏光板４１に付着した塵埃等の異物が投写画像に写り込むことが抑制される。
【００７５】
（第３実施形態）
図７は、図１に対応した、本発明の第３実施形態に係るプロジェクター３を示す平面図である。図８は、図２に対応した、本発明の第３実施形態に係るプロジェクター３を示す側面図である。
【００７６】
図７及び図８に示すように、本実施形態に係るプロジェクター３は、フレーム６０に天板６６及び底板６７が設けられている点で上述の第１実施形態に係るプロジェクター１と異なっている。その他の点は上述の構成と同様であるので、図１及び図２と同様の要素には同一の符号を付し、詳細な説明は省略する。
【００７７】
天板６６は、ピックアップレンズユニット２０及び偏光変換素子３０の上方を覆っている。光変調素子４０及び投写光学系５０の上方は、フレーム６０の外部に開放されている。
【００７８】
底板６７は、ピックアップレンズユニット２０及び偏光変換素子３０の下方を覆っている。光変調素子４０及び投写光学系５０の下方は、フレーム６０の外部に開放されている。
【００７９】
本実施形態においては、フレーム６０の各部における厚さＨ１’を、フレーム６０に天板６６と底板６７とを含めた構造物の厚さとし、Ｈ１’の最大値をＨ１ｍａｘとする。本実施形態においても、Ｈ１ｍａｘはフレーム６０の先端部６１の厚さＨ１である。本実施形態においても、Ｈ１ｍａｘとＨ２ｍａｘとの関係は、上記の（１）式を満たしている。
【００８０】
本実施形態のプロジェクター３においても、プロジェクター３の厚さを薄く抑えつつフレーム６０の内部に塵埃等の異物が入り込むことを抑制することができる。
【００８１】
なお、上記各実施形態においては、白色光を射出する光源１０としたが、本発明はこれに限定されるものではない。白色光以外の光（例えば、特定の色光成分を多く含む光）を射出する光源としてもよい。
【００８２】
上記各実施形態においては、光源１０としてランバート発光タイプの発光ダイオードを用いたが、本発明はこれに限定されるものではない。例えば、光源として半導体レーザーからなる固体光源を用いてもよい。また、光源として固体光源以外の光源を用いてもよい。
【００８３】
上記各実施形態においては、透過型のプロジェクターを用いたが、本発明はこれに限定されるものではない。例えば、反射型のプロジェクターを用いてもよい。
【００８４】
上記各実施形態においては、１つの光変調素子を用いたプロジェクターを例示して説明したが、本発明はこれに限定されるものではない。２つ以上の光変調素子を用いたプロジェクターにも適用可能である。例えば、赤色光用の光変調素子と青色光用の光変調素子と緑色光用の光変調素子とを用いる場合、例えば偏光変換素子の後段に、公知の色分離光学系を配置すればよい。
【００８５】
本発明は、投写画像を観察する側から投写するフロント投写型プロジェクターに適用する場合にも、投写画像を観察する側とは反対の側から投写するリア投写型プロジェクターに適用する場合にも可能である。
【符号の説明】
【００８６】
１，２…プロジェクター、４０…光変調素子、４０Ｓ…表示領域、４２…射出側偏光板（偏光板）、５０…投写光学系、６０…フレーム、６３…側壁、６４…側壁、６５…接続部材、６５ａ…開口部、７０…シート部材、２００…光変調系、Ｈ１…フレームの厚さ、Ｈ１ｍａｘ…フレームにおいて最も厚い部分の厚さ、Ｈ２…光変調系の厚さ、Ｈ２ｍａｘ…光変調系において最も厚い部分の厚さ
【図１】
2013235154.tif 000003
【図２】
2013235154.tif 000004
【図３】
2013235154.tif 000005
【図４】
2013235154.tif 000006
【図５】
2013235154.tif 000007
【図６】
2013235154.tif 000008
【図７】
2013235154.tif 000009
【図８】
2013235154.tif 000010